(57)【特許請求の範囲】
【請求項１】
時計外装組立にこの内部のガス圧を外部に逃がすガス抜き弁が取付けられた携帯時計において、
前記ガス抜き弁が、
前記時計外装組立の内部と外部を連通して前記時計外装組立に固定された弁体ホルダと、
弾性変形が可能なシール材によりリング形に形成され前記弁体ホルダに支持されたパッキンと、
閉弁位置及び開弁位置にわたって移動可能な弁体であって、前記パッキンの内周部に接した状態で前記弁体ホルダを軸方向に貫通した弁体軸部、この軸部に一体に設けられた弁体ヘッド、及び前記弁体軸部にこの軸部の周面に開放して形成され、前記閉弁位置では前記パッキンから外れるとともに、前記開弁位置では前記パッキンの内周部の一部を跨ぐようにこの一部に交叉する排気凹部を有した前記弁体と、
を具備し、
前記弁体ホルダが雄ねじ部を有するとともに、この雄ねじ部に螺合される雌ねじ部を前記弁体ヘッドが有していて、前記雄ねじ部と前記雌ねじ部の噛み合いの変化で前記弁体が前記閉弁位置と開弁位置とにわたり移動可能であり、前記弁体ヘッドに通孔を設けたことを特徴とする携帯時計。
【請求項２】
前記パッキンの締め代より前記排気凹部が深いことを特徴とする請求項１に記載の携帯時計。
【請求項３】
前記排気凹部が前記弁体軸部の軸方向に延びる溝であることを特徴とする請求項１又は２に記載の携帯時計。
【発明の詳細な説明】
【技術分野】
【０００１】
本発明は、例えば飽和潜水に好適なダイバーズウォッチ等のように時計外装組立の内圧が高まる可能性がある携帯時計に関する。
【背景技術】
【０００２】
時計外装ケースの内圧が外圧より高くなった場合に対処するために、このケースに設けたガス抜き弁のボタンを人為的に押すことにより、時計外装ケースの内部の気体をこのケースの外側に強制排出できる飽和潜水用のダイバーズウォッチが知られている（例えば、特許文献１参照。）。
【０００３】
このダイバーズウォッチが備えるガス抜き弁は、時計外装ケースの胴に形成された段付き孔と、ボタンと、止め輪と、コイルばねと、パッキンを有している。
【０００４】
段付き孔の小径孔部は胴の内側に開放され、段付き孔の大径孔部は胴の外側に開放されている。ボタンは、大径孔部に嵌合する操作部と、小径孔部を貫通する軸部を有している。段付き孔からのボタンの抜け止めをする止め輪は時計外装ケースの内部で軸部に連結されている。コイルばねは、軸部を巻装して大径孔部に収容されていて、ボタンを胴の外側方向に付勢している。パッキンは軸部に固定されている。このパッキンは、ボタンが押し込まれない通常の状態で、小径孔部又はこの孔部に装着されたパイプの内面に接して締代を有し、ボタンが押し込まれた状態で胴の内部に配置されて締代を有しないように構成されている。
【０００５】
このため、ボタンが押し込み操作されると同時にパッキンが段付き孔の小径孔部から胴の内部に外れるように移動されて、段付き孔を介して胴の内外が連通される。それに伴い、時計外装ケースの内部の気体をこのケースの外部に段付き孔を通じて排出できる。
【先行技術文献】
【特許文献】
【０００６】
【特許文献１】特開平５−１７２９５６号公報
【発明の概要】
【発明が解決しようとする課題】
【０００７】
特許文献１のダイバーズウォッチのガス抜き弁を飽和潜水後に操作する状況では、段付き孔の大径孔部に水が溜まっている可能性があるとともに、潜水者の濡れた手に付着した水分が大径孔部に浸入することがある。又、雨天下でのガス抜き弁の押し込み操作では雨水が大径孔部に浸入することがある。こうした状況下で排気操作を行った場合、排気完了直後はボタンの押し込みが継続していてパッキンが締代を有していないので、この状態において大径孔部内の水が時計外装ケース内に浸入する恐れが考えられる。
【０００８】
以上のように従来技術は、ガス抜きの完了に伴って胴内に浸水する恐れがある、という課題がある。
【課題を解決するための手段】
【０００９】
前記課題を解決するために、本発明は、時計外装組立にこの内部のガス圧を外部に逃がすガス抜き弁が取付けられた携帯時計において、前記ガス抜き弁が、前記時計外装組立の内部と外部を連通して前記時計外装組立に固定された弁体ホルダと、弾性変形が可能なシール材によりリング形に形成され前記弁体ホルダに支持されたパッキンと、閉弁位置及び開弁位置にわたって移動可能な弁体であって、前記パッキンの内周部に接した状態で前記弁体ホルダを軸方向に貫通した弁体軸部、この軸部に一体に設けられた弁体ヘッド、及び前記弁体軸部にこの軸部の周面に開放して形成され、前記閉弁位置では前記パッキンから外れるとともに前記開弁位置では前記パッキンの内周部の一部を跨ぐようにこの一部に交叉する排気凹部を有した前記弁体と、を具備することを特徴としている。
【００１０】
本発明で、ガス抜き弁は、時計外装組立が有する胴部に設けることが好ましいが、胴部以外の場所に設けることも可能である。本発明で、弁体は、押し込み操作により閉弁位置から開弁位置に移動されるとともに、ばねの付勢力で開弁位置から閉弁位置に移動されるプッシュ操作式の弁体であっても、或いは、弁体を周方向に回転操作させることで雄ねじ部と雌ねじ部との噛み合い状態を変えることにより、閉弁位置と開弁位置とにわたって移動される回転操作式の弁体であっても差し支えない。
【００１１】
本発明で、閉弁位置とは、ガス抜きが妨げられる状態となるように移動された弁体の配置を指しており、又、開弁位置とは、ガス抜きができる状態となるように移動された弁体の配置を指している。
【００１２】
本発明で、弁体の排気凹部の数は１以上であるとともに、この排気凹部は、弁体軸部の周面の一部領域を占めて設けられた円形、楕円形、長円形、四角形、長方形等の形状をなす溝、又は弁体軸部の軸方向に延びる溝等により形成することができる。
【００１３】
更に、本発明で、排気凹部の深さは、弁体軸部の周面に対するパッキンの締め代（つまり、自由状態でのパッキンの内径とパッキンが弾性変形して弁体軸部に接した状態でのパッキンの内径との差）と同じであっても、そうでなくても良く、この深さは、ガス抜きに要する時間を短くする場合は深くし、同時間を長くする場合は浅くすればよい。
【００１４】
本発明の携帯時計の通常の状態では、弁体が閉弁位置に配置されているので、ガス抜き弁は閉じている。つまり、弁体軸部に形成された排気凹部から外れた位置で、弁体軸部の周面に対してパッキンの内周部全体が切れ目なく密接している。この状態で例えば飽和潜水を行った場合、時計外装組立の外部から高圧が作用するが、前記密接によりガス抜き弁のシール性能は維持される。この一方で、飽和潜水で使用されるヘリウムガス等のシール材透過性ガスは、パッキン等を透過するので、時計外装組立の内圧は高められる。
【００１５】
潜水後等に、時計外装組立の内圧を抜くには、ガス抜き弁を開ければ良い。つまり、ガス抜き弁が開かれるように弁体ヘッドを操作して、弁体を閉弁位置から開弁位置に移動させれば良い。それにより、パッキンの内周部に排気凹部が交差する状態に弁体が配置されるとともに、この排気凹部を除いてパッキンの内周部が弁体軸部の周面に密接される。
【００１６】
この状態では、ガス抜き時のガスの流れを基準にパッキンより上流側である時計外装組立の内部と、パッキンより下流側である時計外装組立の外部とが、排気凹部を介して連通される。したがって、時計外装組立内のガスが時計外装組立の外部に排出される。
【００１７】
このガス抜きにおいて、ガスが流出可能な通路は排気凹部に制限されており、パッキンの内周部は、排気凹部を除いて弁体軸部の周面に密接されていて、弁体軸部と弁対ホルダとの間をシールしている。そのため、ガス抜き時のガスの流れを基準にパッキンより下流側に水が入り込んでいたとしても、この水が、ガス抜き直後に時計外装組立の内部に浸入する可能性を小さくできる。
【００１８】
本発明の携帯時計の好ましい形態では、前記ガス抜き弁が前記弁体を前記閉弁位置に付勢する戻しばねを備えていて、前記弁体が前記開弁位置に向けて押込み操作可能に設けられていることを特徴としている。
【００１９】
この好ましい発明の形態では、弁体を押込むという簡単なワンタッチ操作で、弁体を閉弁位置から開弁位置に移動させて、ガス抜き弁を通してガス抜きを行える、という利点を更に有する。
【００２０】
本発明の携帯時計の好ましい形態では、前記ガス抜き弁が前記パッキンを前記弁体ホルダが有したパッキン受け部との間に挟むばね受けプレートを備え、このばね受けプレートと前記弁体ヘッドとの間に前記戻しばねが配設されていることを特徴としている。
【００２１】
この好ましい発明の形態では、ガス抜き弁の開弁操作により戻しばねが更に圧縮されるに伴い、パッキン受け部との間に挟まれているパッキンがばね受けプレートを介して更に弾性変形されるので、このパッキンの内周部が、排気凹部に交差した状態で弁体軸部の周面により強く密接される。それにより、シール性能が向上するに伴い、ガス抜き直後に時計外装組立の内部に浸水する可能性をより小さくできる、という利点を更に有する。
【００２２】
本発明の携帯時計の好ましい形態では、前記弁体ホルダが雄ねじ部を有するとともに、この雄ねじ部に螺合される雌ねじ部を前記弁体ヘッドが有していて、これら雄ねじ部と雌ねじ部の噛み合いの変化で前記弁体が前記閉弁位置と開弁位置とにわたり移動可能であり、前記弁体ヘッドに通孔を設けたことを特徴としている。
【００２３】
この好ましい発明の形態では、弁体を回転操作することで、この弁体を閉弁位置から開弁位置又はこの逆に移動させて、ガス抜き弁を開閉することができる。そのため、このガス抜き弁が開かれてガス抜きをした直後に、時計外装組立の内部に浸水する可能性をより小さくできる。
【００２４】
本発明の携帯時計の好ましい形態では、前記パッキンの締め代より前記排気凹部が深いことを特徴としている。
【００２５】
この好ましい発明の形態では、弁体が開弁位置に移動されてガス抜き弁が開かれた場合に、排気凹部に対向したパッキンの一部は復元するが、この復元した部分によって排気凹部が完全に閉じられることはない。そのため、ガス抜きを短時間で確実に行うことができる、という利点を更に有する。
【００２６】
本発明の携帯時計の好ましい形態では、前記排気凹部が前記弁体軸部の軸方向に延びる溝であることを特徴としている。
【００２７】
この好ましい発明の形態では、排気凹部の幅が狭いことに伴い、弁体が開弁位置に移動された状態で、弁体軸部の周面に対するパッキンの密接長さをより長く確保できるので、ガス抜き性能を維持しつつ、ガス抜き直後に時計外装組立の内部に浸水する可能性をより小さくできる、という利点を更に有する。
【発明の効果】
【００２８】
本発明によれば、ガス抜きの完了に伴って時計外装組立内に浸水し難い携帯時計を提供できる、という効果がある。
【図面の簡単な説明】
【００２９】
【図１】本発明の第１実施形態に係る腕時計を示す平面図である。
【図２】第１実施形態の腕時計をそのガス抜き弁が閉じられた状態で図１中Ｆ−Ｆ線に沿って示す断面図である。
【図３】第１実施形態の腕時計をそのガス抜き弁が開かれた状態で図１中Ｆ−Ｆ線に沿って示す断面図である。
【図４】（Ａ）は第１実施形態の腕時計のガス抜き弁が備える弁体の第１態様を示す断面図である。（Ｂ）は同ガス抜き弁が備える弁体の第２態様を示す断面図である。
【図５】本発明の第２実施形態の腕時計をそのガス抜き弁が閉じられた状態で示す図２相当の断面図である。
【図６】第２実施形態の腕時計をそのガス抜き弁が開かれた状態で示す図３相当の断面図である。
【発明を実施するための形態】
【００３０】
以下、図１〜図４を参照して本発明の第１実施形態について、詳細に説明する。
図１〜図３中符号１は携帯時計、例えば飽和潜水での使用にも適するダイバーズウォッチ等の腕時計を示している。この腕時計１は、時計外装組立２に、この時計外装組立２の内圧を減じるためのガス抜き弁４を取付けて形成されている。これとともに、時計外装組立２には、図２及び図３に示すように文字板などの時計用表示板５、及び時計用表示針８（図１参照）を駆動するムーブメント６等が内蔵されているとともに、図１に示すように時計外装組立２の周部に竜頭７が取付けられている。
【００３１】
図２及び図３に示すように時計外装組立２は、胴部１１ａと裏蓋部１１ｂとが一体に形成された金属製の外装部材１１と、ガラス支持部材１３と、カバーガラス１５を備えている。なお、外装部材１１に代えて、胴部１１ａに相当する胴に、これとは別体で裏蓋部１１ｂに相当する裏蓋を螺合した構成を備えた時計外装組立２を用いることもできる。
【００３２】
ガラス支持部材１３は、リング形状をなしていて、胴部１１ａにその正面側から螺合して固定されている。カバーガラス１５は、ガラス支持部材１３の内側に液密に装着されていて、その裏面は時計用表示板５に対向している。符号１６はカバーガラス１５を取付けるためにガラス支持部材１３に螺合されたガラス固定用のリングを示している。
【００３３】
ガラス支持部材１３の外周に沿って回転操作可能なリング形の回転ベゼル１８が時計外装組立２に取付けられている。回転ベゼル１８は、その裏面に周方向に沿って一定間隔毎に設けられた係合溝１８ａ（一個のみ図示）に、胴部１１ａに固定された係止ばね１９の図示しない係止片が係合されることにより、任意の回転位置に静止した状態に保持されるようになっている。
【００３４】
図２及び図３に示すように時計外装組立２の例えば胴部１１ａに弁取付け孔２１が、時計外装組立２の内部と外部を連通して設けられている。弁取付け孔２１は、段付きの円形孔からなり、その大径な一端は時計外装組立２の外面例えば胴部１１ａの外面に開放され、小径な他端は時計外装組立２の内部に開放されている。
【００３５】
ガス抜き弁４は、弁体ホルダ２３と、パッキン２７と、ばね受けプレート２９と、弁体３１と、止め部材４１と、戻しばね４５を具備している。
【００３６】
弁体ホルダ２３は、長手方向両端が開放された金属の円筒状体からなり、その長手方向一端部にストッパ部２３ａを有し、長手方向他端部に複数の通孔２３ｂを有し、かつ、これらと通孔２３ｂとの間にフランジ部２３ｃを有している。ストッパ部２３ａは、時計外装組立２の内部に臨んだ弁体ホルダ２３の端部を内側に折り曲がるように加工して形成されたパイプ端壁からなるが、これには制約されない。本実施形態ではストッパ部２３ａはパッキン受け部を兼ねているが、ストッパ部２３ａとパッキン受け部は別々に設けられていてもよい。
【００３７】
この弁体ホルダ２３は、そのフランジ部２３ｃが弁取付け孔２１の段部に当たるまで胴部１１ａの外側から弁取付け孔２１に挿入されて、胴部１１ａにろう材２２により固定されている。
【００３８】
パッキン２７は合成ゴムやエラストマ等の弾性変形が可能なシール材でリング形に形成されている。パッキン２７の半径方向の断面形状は、将棋の駒形状であり、その内周部は略三角形状をなしているが、この構成にパッキン２７の断面形状が限定されるものではない。このパッキン２７は弁体ホルダ２３の内側に配設されている。具体的には、パッキン受け部を兼ねたストッパ部２３ａとストッパ部２３ａに直角に連続した弁体ホルダ２３の内周面とがなす角部に接して、パッキン２７が弁体ホルダ２３内に配設されている。
【００３９】
ばね受けプレート２９は、金属又は合成樹脂製で、かつ、リング形状の平板からなる。このばね受けプレート２９は、パッキン２７をストッパ部（パッキン受け部）２３ａとの間に挟んで弁体ホルダ２３の内側に配設されている。
【００４０】
弁体３１は、金属製であり、弁体軸部３２と、排気凹部３４と、弁体ヘッド３５を有している。
弁体軸部３２は円柱状である。この弁体軸部３２は弁体ホルダ２３を軸方向に貫通する長さを有している。弁体軸部３２の先端をなした一端部、つまり、時計外装組立２の内部側の端部に、部材装着溝３３が形成されている。
【００４１】
複数例えば２個の排気凹部３４が、部材装着溝３３と弁体ヘッド３５との間でかつ弁体軸部３２の周方向に１８０度離れて、弁体軸部３２に設けられている。これら排気凹部３４は、弁体軸部３２の周面に開放し、かつ、弁体軸部３２の軸方向に延びる溝で形成されている。これらの排気凹部３４は、弁体３１が後述する閉弁位置に配置された状態で、例えばガス抜き時のガスの流れを基準にパッキン２７の下流側に外れて配設されるとともに、弁体３１が後述する開弁位置に配置された状態で、パッキン２７の内周部の一部を跨ぐようにこの一部に交差する位置に設けられている。
【００４２】
図４（Ａ）（Ｂ）に示す排気凹部３４の深さＤは、パッキン２７の締め代より深い。排気凹部３４の長手方向に直交する方向の形は、例えば図４（Ａ）に示すように略コの字形状であっても、図４（Ａ）に示すように略Ｖ字形状であっても差し支えない。
【００４３】
弁体ヘッド３５は弁体軸部３２に一体に設けられている。この弁体ヘッド３５は、弁体軸部３２の外周から直角に張り出した端壁部３５ａと、この端壁部３５ａから折れ曲がるように設けられた筒部３５ｂとで形成されている。筒部３５ｂは、弁体軸部３２と略平行であるとともに、弁体軸部３２の他端部との間に環状溝を形成している。筒部３５ｂの外径は、弁取付け孔２１の大径孔部より小径であり、これらの間に環状の間隙を形成できるようになっている。
【００４４】
前記構成の弁体３１の弁体軸部３２は、弁体ホルダ２３に対してその軸方向に貫通されているとともに、筒部３５ｂは弁取付け孔２１の大径孔部に挿入されている。そのため、弁体軸部３２は、弁体ホルダ２３のストッパ部２３ａ、パッキン２７、及びばね受けプレート２９を貫通している。この弁体軸部３２の周面とストッパ部２３ａ及びばね受けプレート２９の内周との間には排気用の隙間が確保されているが、弁体軸部３２の周面に対してパッキン２７の内周部は弾性変形して、つまり、締め代を有して密に接触されている。また、弁体３１はその軸方向にパッキン２７の内周部を摺動しつつ移動可能である。この弁体３１の軸方向移動は、ガス抜き弁４が閉じ状態となる閉弁位置と、ガス抜き弁４が開き状態となる開弁位置とにわたって行われる。
【００４５】
弁体軸部３２にはその部材装着溝３３に係合して止め部材４１が取付けられている。止め部材４１には例えばＥリングやＣリング等の止め輪が用いられている。この止め部材４１は、ストッパ部２３ａに対して胴部１１ａの内部側、つまり、時計外装組立２の内部側に位置されていて、弁体３１の軸方向移動に伴いストッパ部２３ａに接離可能である。
【００４６】
戻しばね４５は、弁体軸部３２に巻装されるとともに、その一端をばね受けプレート２９に接し、他端を端壁部３５ａに接して、これらばね受けプレート２９と端壁部３５ａとの間に圧縮状態で配設されている。この戻しばね４５の付勢力によって、弁体ヘッド３５の一部が胴部１１ａから突出するように弁体３１が付勢されているので、弁体３１は胴内側に向けて押込み可能である。
【００４７】
腕時計１の通常の状態でガス抜き弁４は図２に示すように閉じた状態にある。
すなわち、戻しばね４５の付勢力により、止め部材４１が時計外装組立２の内部側から弁体ホルダ２３のストッパ部２３ａに当たった状態に弁体３１が保持されている。つまり、弁体３１は閉弁位置に配設されている。
【００４８】
この状態では排気凹部３４が、ガス抜き時のガスの流れを基準にパッキン２７の下流側に外れているとともに、弁体ヘッド３５の端壁部３５ａ側部位は、この部位を使用者の指で押込み操作をすることができるように時計外装組立２の胴部１１ａから外に突出されている。更に、同状態で、弁体ホルダ２３に取付けられたリング形のパッキン２７は、弾性変形をした状態、つまり、締め代を有した状態で、その内周部が切れ目なく弁体軸部３２の周面に密接されている。
【００４９】
飽和潜水において、水中の居住区で使用されるヘリウムガス等のシール材透過性ガスは、カバーガラス１５まわりのシール材、及びガス抜き弁４のパッキン２７を透過するので、時計外装組立２の内部のガス圧が高められる。
【００５０】
この場合、パッキン２７は、ガス圧が作用する側と反対側からストッパ部２３ａで支持されているので、作用するガス圧が高められる程弾性変形される。そのため、パッキン２７はそれが接触した部位に、より強く密接されて、ガス抜き弁４でのシール性能が向上される。それに伴い、ヘリウムガスがパッキン２７を透過することが緩和されて、時計外装組立２の内圧の高まりを抑制できる。同様の理由から、潜水中にパッキン２７に作用する水圧が高められる場合にも、それに伴い、ガス抜き弁４でのシール性能が向上されるので、ガス抜き弁４を通して時計外装組立２内に海水等の水が浸入することを確実に抑制できる。
【００５１】
水中の居住区から使用者が浮上した後に、使用者が弁体ヘッド３５を押して弁体３１を時計外装組立２内に向けて移動させることにより、それ以前に時計外装組立２内に侵入した高圧のガスを時計外装組立２外に排出できる。
【００５２】
つまり、弁体３１が戻しばね４５の付勢力に抗して最大に押込まれて、この弁体３１が開弁位置に移動された状態を図３に示す。なお、弁体３１が時計外装組立２の内部に向けて最大に押込まれると、弁体ホルダ２３に弁体ヘッド３５の端壁部３５ａが当たって、それ以上の押込み操作が阻止される。
【００５３】
こうして弁体３１が開弁位置に移動されることにより、弁体軸部３２に形成された排気凹部３４が、パッキン２７の内周部の一部を跨ぐようにこの一部に交差した状態に配設される。言い換えれば、パッキン２７の内周部が排気凹部３４を横切る位置に排気凹部３４が配設されて、ガス抜き弁４から排出されるガスの流れを基準にしてパッキン２７より上流側、つまり、時計外装組立２の内部と、パッキン２７より下流側とが排気凹部３４を経由して連通される。それに伴い、時計外装組立２の内部のガスが、その圧力によって、排気凹部３４を通って胴外側に向けて流出する。更に、この排出ガスは、弁体ホルダ２３の通孔２３ｂを流通した後、弁取付け孔２１の大径孔部と弁体ヘッド３５との間の間隙を通って、時計外装組立２の外部に排出される。
【００５４】
以上のように弁体３１を押込むという簡単なワンタッチ操作で、弁体３１を閉弁位置から開弁位置に移動させて、ガス抜き弁４を通してガス抜きを行うことができる。
【００５５】
こうしたガス抜き状態で、ガスが流出可能な通路は排気凹部３４に制限されていて、パッキン２７の内周部は排気凹部３４を除いて弁体軸部３２の周面に密接されている。そのため、ガス抜き時のガスの流れを基準にパッキン２７より下流側に水が入り込んでいたとしても、この水が、ガス抜き直後に時計外装組立２の内部に浸入する可能性を小さくできる。
【００５６】
しかも、既述のように弁体３１が開弁位置に押込まれることで戻しばね４５は更に圧縮される。それに伴い、パッキン受け部を兼ねたストッパ部２３ａとの間に挟まれているパッキン２７がばね受けプレート２９を介して更に弾性変形されて、このパッキン２７の内周部が、排気凹部３４に交差した状態で弁体軸部３２の周面により強く密接される。したがって、弁体軸部３２の周方向に関してその周面とパッキン２７との間のシール性能が向上されるに伴い、ガス抜き直後に時計外装組立２の内部に浸水する可能性をより小さくできる。
【００５７】
それだけではなく、排気凹部３４が弁体軸部３２の軸方向に延びる溝で形成されているので、この排気凹部３４の幅は狭い。そのため、弁体３１が開弁位置に移動された状態で、弁体軸部３２の周面に対するパッキン２７の密接長さをより長く確保できる。したがって、ガス抜き性能を維持しつつ、ガス抜き直後に時計外装組立２の内部に浸水する可能性をより小さくできる。
【００５８】
更に、弁体３１が開弁位置に移動されてガス抜き弁４が開かれた状態では、排気凹部３４に対向したパッキン２７の一部は復元する。しかし、パッキン２７の締め代より排気凹部３４が深く形成されているので、前記復元した部分によって排気凹部３４が完全に閉じられることはない。そのため、ガス抜きを短時間で行うことができる。
【００５９】
又、ガス抜き後に通常の状態に戻すには、弁体３１を押している使用者の指を弁体３１から離せばよい。それにより、戻しばね４５の付勢力で弁体３１が開弁位置から閉弁位置に移動される。したがって、排気凹部３４がパッキン２７の下流側に外れて配設されるとともに、パッキン２７の内周部が弁体軸部３２の周面に切れ目なく連続して密接されて、ガス抜き弁４が閉じられる。
【００６０】
本発明の第２実施形態を図５及び図６を参照して説明する。第２実施形態は、以下説明する事項以外は第１実施形態と同じである。そのため、第１実施形態と同一乃至は同様な構成については、第１実施形態と同じ符号を付して、その説明を省略する。
【００６１】
第２実施形態はガス抜き弁４等の構成が第１実施形態とは異なる。
胴部１１ａに設けられた弁取付け孔２１は、多段の円形孔からなり、その胴部１１ａの外面に開放された大径孔部は、奥部に位置決め部２１ａをなす環状段部を有した段付きの構成である。
【００６２】
ガス抜き弁４は、弁体ホルダ２３と、パッキン２７と、弁体３１と、止め部材４１を具備している。
弁体ホルダ２３は、金属の管からなり、弁取付け孔２１に挿入されて胴部１１ａにろう付けされている。
【００６３】
弁体ホルダ２３は大径部と小径部とで形成されている。弁体ホルダ２３の大径部は、弁取付け孔２１の段付きの大径孔部内に配置されている。この大径部の外周に雄ねじ部２６が形成されている。弁体ホルダ２３の小径部の例えば先端部はパッキン受け部を兼ねたストッパ部２３ａをなしている。
【００６４】
弁体ホルダ２３はその小径部の内周面に開放しかつ一回り連続して環状に形成されたパッキン装着溝２３ｄを有している。パッキン装着溝２３ｄを形成する壁の一部はストッパ部２３ａであるが、ストッパ部２３ａとパッキン装着溝２３ｄとは別々に設けることも可能である。パッキン装着溝２３ｄにパッキン２７が嵌め込んで取付けられており、このパッキン２７の内周部は弁体ホルダ２３の内周面より突出されている。
【００６５】
弁体３１の弁体軸部３２は弁体ホルダ２３を軸方向に貫通している。この弁体軸部３２の周面と弁体ホルダ２３の内周面との間には、ガスが流通できる程度の僅かな隙間が確保されていて、この隙間は弁体３１の軸方向にパッキン２７によって仕切られている。
【００６６】
弁体軸部３２の周面に開放する例えば複数の排気凹部３４は、部材装着溝３３に寄せて形成されている。これら排気凹部３４は弁体３１の軸方向移動とともに移動される。それにより、弁体３１が図５に示した閉弁位置に配置されている場合、パッキン２７よりも時計外装組立２の内部側、言い換えれば、ガス抜き弁４を通って流出されるガスの流れを基準にパッキン２７の上流側に排気凹部３４が配設され、又、弁体３１が図６に示すように開弁位置に配置されている場合、排気凹部３４はパッキン２７の内周部の一部を跨ぐようにこの一部に交叉して配設されるようになっている。
【００６７】
弁体軸部３２に一体に設けられた弁体ヘッド３５の端壁部３５ａには通孔３７が一個以上例えば複数設けられている。弁体ヘッド３５の筒部３５ｂは弁体軸部３２と平行である。この筒部３５ｂと弁体軸部３２との間に形成された環状溝に、弁体ホルダ２３の胴外側部位が挿入されている。
【００６８】
筒部３５ｂはその外周面にローレット加工跡からなる滑り止め３８を有している。筒部３５ｂはその内周面に雌ねじ部３９を有している。筒部３５ｂの例えば開放端部は、弁体ヘッド３５が有する係合部３５ｃをなしている。この係合部３５ｃは弁体３１がその軸方向に移動されるに伴い位置決め部２１ａに接離可能である。
【００６９】
前記構成の弁体３１は、その雌ねじ部３９を弁体ホルダ２３の雄ねじ部２６に螺合して取付けられている。この取付けにより、弁体軸部３２が、弁体ホルダ２３に挿入されるとともに、この弁体ホルダ２３をその軸方向に貫通して配置されている。弁体３１を周方向に回転操作することに伴う雄ねじ部２６と雌ねじ部３９の噛み合いの変化により、弁体３１はその軸方向に移動可能である。
【００７０】
腕時計１の通常の状態でガス抜き弁４は図５に示すように閉じた状態にある。
すなわち、弁体ヘッド３５の係合部３５ｃが弁取付け孔２１の位置決め部２１ａに接していて、弁体ホルダ２３に対する弁体３１の最大ねじ込み深さが規制されている。言い換えれば、雄ねじ部２６と雌ねじ部３９の噛み合い長さが最長となっている。この状態で、弁体ヘッド３５の端壁部３５ａ側部位は、この部位を使用者の指で掴んで弁体３１を回転操作することができるように時計外装組立２の胴部１１ａから外に突出されている。又、弁体３１に取付けられた止め部材４１は、弁体ホルダ２３のストッパ部２３ａから離れている。
【００７１】
更に、同状態で、弁体３１に取付けられたパッキン２７は、弾性変形をした状態、つまり、締代を有した状態で弁体軸部３２の周面にその周方向に切れ目なく連続して密接されている。これとともに、前記排出されるガスの流れを基準にパッキン２７の下流側において、このパッキン２７と弁体ホルダ２３と弁体３１とで環状空間Ｓが形成されていて、この環状空間Ｓに通孔３７が臨んでいる。したがって、環状空間Ｓは各通孔３７を経由して時計外装組立２の外部に連通されている。又、同状態で、パッキン２７と止め部材４１との間に弁体３１の排気凹部３４が位置されている。
【００７２】
又、既述のようにガス抜き弁４が有した弁体３１の弁体ヘッド３５は時計外装組立２の外部に突出されている。そのため、潜水中等において、何らかの物が弁体ヘッド３５に触れて、弁体３１が押される可能性がある。この場合、弁体ヘッド３５の係合部３５ｃが時計外装組立２の位置決め部２１ａに接しているので、弁体３１が押し込まれることはない。これとともに、弁体３１は、連続して回転されない限り、軸方向に移動することがなく、単に、弁体ヘッド３５が短時間押されるだけでは弁体３１の回転が継続されることはない。したがって、弁体ヘッド３５が不用意に押し込まれる力を受けても、ガス抜き弁４が開かれることがなく、時計外装組立２の内部に浸水する恐れがない。
【００７３】
飽和潜水において、水中の居住区で使用されるヘリウムガス等のシール材透過性ガスは、カバーガラス１５まわりのシール材、及びガス抜き弁４のパッキン２７を透過するので、時計外装組立２の内部のガス圧が高められる。
【００７４】
水中の居住区から使用者が浮上した後に、使用者が弁体ヘッド３５を摘んで螺合部が弛む方向に弁体３１を回転操作することにより、時計外装組立２内に侵入した高圧のガスを時計外装組立２外に排出できる。
【００７５】
つまり、前記回転操作により弁体３１が胴部１１ａの外側に突出する方向に移動されることにより、図６に示すように弁体３１の排気凹部３４が、パッキン２７の内周部の一部を跨いでこの一部に交叉するように配設されて、ガス抜き弁４が開かれる。こうしてガス抜き弁４が開かれるに伴い、時計外装組立２の内部のガスが、その圧力によって、弁体ホルダ２３の内側を胴外側に向けて流通し、更に、通孔３７を通って時計外装組立２の外部に排出される。
【００７６】
なお、弁体３１を開く方向の回転操作が、更に継続された場合、図６に示すように止め部材４１がストッパ部２３ａに胴部１１ａの内側から当たるので、それ以上、弁体３１が、回転されて胴外側に向けて移動され、弁体３１が抜けることはない。
【００７７】
潜水中、通孔３７を通って環状空間Ｓに浸入した水の多くは、浮上後に通孔３７での空気の置換を伴って通孔３７から排水されるが、一部は環状空間Ｓに溜まっていることがある。このようなガス抜き弁４内の残水は、排出されるガスの勢いにより通孔３７に通して外部に排出することができる。
【００７８】
以上説明したガス抜き状態で、ガスが流出可能な通路は排気凹部３４に制限されていて、パッキン２７の内周部は排気凹部３４を除いて弁体軸部３２の周面に密接されている。そのため、ガス抜き時のガスの流れを基準にパッキン２７より下流側に水が入り込んでいたとしても、この水が、ガス抜き直後に時計外装組立２の内部に浸入する可能性を小さくできる。
【００７９】
又、第２実施形態の構成では、ガス抜きの際、弁体ホルダ２３の雄ねじ部２６と弁体ヘッド３５の雌ねじ部３９とが螺合状態にあり、弁体ホルダ２３と弁体ヘッド３５とは連続する遮水壁を形成した状態を維持している。そのため、弁体３１の弁体ヘッド３５まわり、例えば弁取付け孔２１の大径孔部に水が溜まっていたとしても、ガス抜きの完了に伴って弁体ヘッド３５まわりの水がガス抜き弁４の内部に浸入することが防止され、それに伴い時計外装組立２の内部に浸水しないようにできる。
【００８０】
ガス抜き後に通常の状態に戻すには、弁体３１をねじ込む方向に回転操作すればよい。それにより、パッキン２７に対して弁体軸部３２に形成された排気凹部３４を胴部１１ａの内側に移動させるとともに、パッキン２７の内周部が弁体軸部３２の周面に弾性的に密接されて、ガス抜き弁４が閉じられる。
【００８１】
又、既述の手順でガス抜き弁４が閉じられる場合、図５に示すように弁体３１が最大にねじ込まれた位置で、弁体ヘッド３５の係合部３５ｃが、弁取付け孔２１の位置決め部２１ａに接するので、この係合により弁体３１をねじ込み操作が妨げられて、弁体３１の適正なねじ込み終了を使用者に知覚させることができる。
【００８２】
更に、第２実施形態のガス抜き弁４の構成では、飽和潜水の指定圧力に相当するばね力（付勢力）のコイルばねを要することがないので、部品点数が削減されて構成が簡単である。
【００８３】
以上説明した事項以外は第１実施形態と同じである。そのため、この第２実施形態においても、既述のように本発明の課題を解決し、ガス抜きの完了に伴って時計外装組立２内に浸水し難いダイバーズウォッチ等の携帯時計を提供できる。
【符号の説明】
【００８４】
１…腕時計(携帯時計)
２…時計外装組立
４…ガス抜き弁
２３…弁体ホルダ
２３ａ…ストッパ部（パッキン受け部）
２６…雄ねじ部
２７…パッキン
２９…ばね受けプレート
３１…弁体
３２…弁体軸部
３４…排気凹部
３５…弁体ヘッド
３７…通孔
３９…雌ねじ部
４１…止め部材
４５…戻しばね
【図１】
0005437875.tif 000002
【図２】
0005437875.tif 000003
【図３】
0005437875.tif 000004
【図４】
0005437875.tif 000005
【図５】
0005437875.tif 000006
【図６】
0005437875.tif 000007